(57)【要約】      （修正有）【課題】使用者のプライバシー保護機能が強化されたビデオ通話機能を持つ、電子機器及びその通信方法を提供する。【解決手段】第１電子装置１００は、ビデオ通話を行う電子装置であって、第１電子装置の使用者の動画を複数の領域に分割し、複数の領域のうち前記使用者から選択されていない領域を編集し、編集された動画を生成する処理部１２０、複数の領域のうち、少なくとも一つの領域を選択する選択の入力を前記使用者から受信する入力部１４０及び編集された動画をビデオ通話の相手の電子装置に送る通信部１５０を含む。【選択図】図２
2019088004.tif 000002
【特許請求の範囲】
【請求項１】
ビデオ通話を行う電子装置であって、
前記電子装置の使用者の動画を複数の領域に分割し、前記複数の領域のうち前記使用者から選択されていない領域を編集し、編集された動画を生成する処理部と、
前記複数の領域のうち、少なくとも一つの領域を選択する選択の入力を前記使用者から受信する入力部と、
前記編集された動画をビデオ通話の相手の電子装置に送る通信部と
を含む電子装置。
【請求項２】
前記処理部は、ビデオ通話の相手のプロフィール情報を用いて、前記電子装置の使用者の動画を複数の領域に分割する請求項１に記載の電子装置。
【請求項３】
前記プロフィール情報は、前記ビデオ通話の相手の評判度又は遮断履歴を含む請求項２に記載の電子装置。
【請求項４】
前記処理部は、前記ビデオ通話の相手の評判度が高いほど、前記使用者の動画をさらに少ない数の複数の領域に分割する請求項３に記載の電子装置。
【請求項５】
前記処理部は、前記使用者の基本設定情報を用いて、前記使用者の動画を複数の領域に分割する請求項１に記載の電子装置。
【請求項６】
前記使用者の基本設定情報は、前記複数の領域のうち所定の領域に対する選択情報を含む請求項５に記載の電子装置。
【請求項７】
前記複数の領域は、顔領域、ボディー領域及び背景領域を含む請求項１に記載の電子装置。
【請求項８】
前記処理部は、前記複数の領域のうち使用者から選択されていない領域を代替画像で表示するか歪曲することで、前記編集された使用者の動画を生成する請求項７に記載の電子装置。
【請求項９】
前記処理部は、前記ビデオ通話の相手との親密度によって、前記使用者から選択されていない領域の歪曲の程度を調整する請求項８に記載の電子装置。
【請求項１０】
前記親密度は、前記ビデオ通話の相手との通話時間が長くなるか、会話量が多くなるほど高くなり、
前記処理部は、前記親密度が高くなるほど、前記使用者から選択されていない領域の歪曲の程度を緩和させる請求項９に記載の電子装置。
【請求項１１】
前記複数の領域に分割された前記使用者の動画をディスプレーする表示部をさらに含み、
前記入力部は、前記表示部によってディスプレーされる前記使用者の動画に基づいて前記選択の入力を受信する請求項１に記載の電子装置。
【請求項１２】
前記処理部は、前記ビデオ通話の相手との親密度が基準親密度以上になる場合、前記親密度が前記基準親密度未満の場合で分割された数よりさらに少ない数の複数の領域に前記使用者の動画を分割し、
前記表示部は、前記さらに少ない数の複数の領域に分割された前記使用者の動画をディスプレーし、
前記入力部は、前記表示部によってディスプレーされる前記さらに少ない数の複数の領域に分割された前記使用者の動画に基づいて、前記選択の入力を受信する請求項１１に記載の電子装置。
【請求項１３】
前記使用者を撮影し、前記動画を生成するカメラをさらに含むことを特徴とする請求項１に記載の電子装置。
【請求項１４】
電子装置の通信方法であって、
使用者の動画を複数の領域に分割するステップと、
前記複数の領域に分割された使用者の動画をディスプレーするステップと、
前記複数の領域のうち、少なくとも一つの領域を選択する選択の入力を使用者から受信するステップと、
前記複数の領域のうち前記使用者から選択されていない領域を編集し、編集された使用者の動画を生成するステップと、
前記編集された使用者の動画を前記ビデオ通話の相手の電子装置に送るステップを含む電子装置の通信方法。
【請求項１５】
前記使用者の動画を複数の領域に分割するステップは、ビデオ通話の相手のプロフィール情報を用いて、前記使用者の動画を複数の領域に分割する請求項１４に記載の電子装置の通信方法。
【請求項１６】
前記プロフィール情報は、評判度又は遮断履歴を含む請求項１５に記載の電子装置の通信方法。
【請求項１７】
前記ビデオ通話の相手のプロフィール情報を用いて使用者の動画を複数の領域に分割するステップは、前記ビデオ通話の相手の評判度が高いほど、前記使用者の動画をさらに少ない数の複数の領域に分割するステップを含む請求項１６に記載の電子装置の通信方法。
【請求項１８】
前記複数の領域のうち前記使用者から選択されていない領域を編集し、編集された使用者の動画を生成するステップは、前記複数の領域のうち前記使用者から選択されていない領域を代替画像で表示するか歪曲することで、前記編集された使用者の動画を生成するステップを含む請求項１５に記載の電子装置の通信方法。
【請求項１９】
前記複数の領域のうち前記使用者から選択されていない領域を編集し、編集された使用者の動画を生成するステップは、前記ビデオ通話の相手との親密度によって、前記使用者から選択されていない領域の歪曲の程度を調整するステップを含む請求項１８に記載の電子装置の通信方法。
【請求項２０】
前記ビデオ通話の相手のプロフィール情報を用いて使用者の動画を複数の領域に分割するステップは、前記ビデオ通話の相手との親密度が基準親密度以上になる場合、前記使用者の動画を、前記親密度が前記基準親密度未満の場合で分割された数よりさらに少ない数の複数の領域に分割するステップを含む請求項１４に記載の電子装置の通信方法。
【請求項２１】
請求項１４に記載の電子装置の通信方法をコンピューターで行わせるプログラムが記録されたコンピューターで読み取り可能な記録媒体。
【発明の詳細な説明】
【技術分野】
【０００１】
本発明は、電子装置及びその通信方法に関する。
【背景技術】
【０００２】
移動通信端末において、使用者の便宜のために提供される機能のうち、単なる音声のみを用いた通話でなく、互いに相手の姿を見ながら通話するビデオ通話機能がある。このようなビデオ通話は、マイク（Ｍｉｃｒｏｐｈｏｎｅ）によって入力される音声データを、カメラによって入力される動画データと同時に送ることで行われる。すなわち、使用者は、移動通信端末に装着されたカメラを用いて、顔の動画をリアルタイムで撮影できる。移動通信端末は、撮影された顔の動画を現在接続状態にある相手の移動通信端末に送り、相手の移動通信端末から送られる動画を画面に表示することで、互いの顔を見ながら電話通話を行うことができる。
【０００３】
しかし、使用者が移動通信端末の移動性を用いてビデオ通話をする場合、使用者が位置した周辺の環境及び個人身上の理由で自分の動画を相手に露出したくない状況が発生し得る。このような状況は、使用者のプライバシー侵害の問題を起こすことがあり、相手に不快感を誘発するという問題点も発生し得る。
【発明の概要】
【発明が解決しようとする課題】
【０００４】
本発明の一目的は、使用者のプライバシー保護機能が強化されたビデオ通話機能を行える電子装置、及びその通信方法を提供することにある。
【０００５】
本発明の一目的は、使用者の便宜性が向上されたビデオ通話機能を行える電子装置、及びその通信方法を提供することにある。
【０００６】
本発明の技術的課題は、以上で言及した技術的課題等に制限されず、言及されていないその他の技術的課題は、以下の記載等から当業者が明確に理解できるものである。
【課題を解決するための手段】
【０００７】
本発明の一実施形態による電子装置は、ビデオ通話を行う電子装置において、前記電子装置の使用者の動画を複数の領域に分割し、前記複数の領域のうち前記使用者から選択されていない領域を編集し、編集された動画を生成する処理部、前記複数の領域のうち少なくとも一つの領域を選択する選択の入力を前記使用者から受信する入力部、及び前記編集された動画をビデオ通話の相手の電子装置に送る通信部を含んでよい。
【０００８】
一実施形態において、前記処理部は、ビデオ通話の相手のプロフィール情報を用いて、前記電子装置の使用者の動画を複数の領域に分割できる。
【０００９】
一実施形態において、前記プロフィール情報は、前記ビデオ通話の相手の評判度又は遮断履歴を含んでよい。
【００１０】
一実施形態において、前記処理部は、前記ビデオ通話の相手の評判度が高いほど、前記使用者の動画をさらに少ない数の複数の領域に分割できる。
【００１１】
一実施形態において、前記処理部は、前記使用者の基本設定情報を用いて、前記使用者の動画を複数の領域に分割できる。
【００１２】
一実施形態において、前記使用者の基本設定情報は、前記複数の領域のうち所定の領域に対する選択情報を含んでよい。
【００１３】
一実施形態において、前記複数の領域は、顔領域、ボディー領域及び背景領域を含んでよい。
【００１４】
一実施形態において、前記処理部は、前記複数の領域のうち使用者から選択されていない領域を代替画像で表示するか歪曲することで、前記編集された使用者の動画を生成できる。
【００１５】
一実施形態において、前記処理部は、前記ビデオ通話の相手との親密度によって、前記使用者から選択されていない領域の歪曲の程度を調整できる。
【００１６】
一実施形態において、前記親密度は、前記ビデオ通話の相手との通話時間が長くなるか、会話量が多くなるほど高くなり、前記処理部は、前記親密度が高くなるほど前記使用者から選択されていない領域の歪曲の程度を緩和させてよい。
【００１７】
一実施形態において、前記複数の領域に分割された前記使用者の動画をディスプレーする表示部をさらに含み、前記入力部は、前記表示部によってディスプレーされる前記使用者の動画に基づいて、前記選択の入力を受信できる。
【００１８】
一実施形態において、前記処理部は、前記ビデオ通話の相手との親密度が基準親密度以上になる場合、前記親密度が前記基準親密度未満の場合で分割された数よりさらに少ない数の複数の領域に前記使用者の動画を分割し、前記表示部は、前記さらに少ない数の複数の領域に分割された前記使用者の動画をディスプレーし、前記入力部は、前記表示部によってディスプレーされる前記さらに少ない数の複数の領域に分割された前記使用者の動画に基づいて、前記選択の入力を受信できる。
【００１９】
一実施形態において、前記使用者を撮影し前記動画を生成するカメラをさらに含んでよい。
【００２０】
本発明の一実施形態による電子装置の通信方法は、使用者の動画を複数の領域に分割するステップ、前記複数の領域に分割された使用者の動画をディスプレーするステップ、前記複数の領域のうち少なくとも一つの領域を選択する選択の入力を使用者から受信するステップ、前記複数の領域のうち前記使用者から選択されていない領域を編集し、編集された使用者の動画を生成するステップ、及び前記編集された使用者の動画を前記ビデオ通話の相手の電子装置に送るステップを含んでよい。
【００２１】
一実施形態において、前記使用者の動画を複数の領域に分割するステップは、ビデオ通話の相手のプロフィール情報を用いて、前記使用者の動画を複数の領域に分割できる。
【００２２】
一実施形態において、前記プロフィール情報は、評判度又は遮断履歴を含んでよい。
【００２３】
一実施形態において、前記ビデオ通話の相手のプロフィール情報を用いて使用者の動画を複数の領域に分割するステップは、前記ビデオ通話の相手の評判度が高いほど、前記使用者の動画をさらに少ない数の複数の領域に分割するステップを含んでよい。
【００２４】
一実施形態において、前記複数の領域のうち、前記使用者から選択されていない領域を編集し、編集された使用者の動画を生成するステップは、前記複数の領域のうち、前記使用者から選択されていない領域を代替画像で表示するか歪曲することで、前記編集された使用者の動画を生成するステップを含んでよい。
【００２５】
一実施形態において、前記複数の領域のうち、前記使用者から選択されていない領域を編集し、編集された使用者の動画を生成するステップは、前記ビデオ通話の相手との親密度によって、前記使用者から選択されていない領域の歪曲の程度を調整するステップを含んでよい。
【００２６】
一実施形態において、前記ビデオ通話の相手のプロフィール情報を用いて使用者の動画を複数の領域に分割するステップは、前記ビデオ通話の相手との親密度が基準親密度以上になる場合、前記使用者の動画を、前記親密度が前記基準親密度未満の場合で分割された数よりさらに少ない数の複数の領域に分割するステップを含んでよい。
【００２７】
本発明の一実施形態によるコンピューターで読み取り可能な記録媒体は、請求項１４に記載の電子装置の通信方法をコンピューターで実行させるプログラムが記録されてよい。
【発明の効果】
【００２８】
本発明の一実施形態による電子装置及びその通信方法は、使用者のプライバシー保護機能が強化されたビデオ通話機能を行うことができる。
【００２９】
本発明の一実施形態による電子装置及びその通信方法は、使用者の便宜性が向上されたビデオ通話機能を行うことができる。
【図面の簡単な説明】
【００３０】
【図１】本発明の一実施形態によるビデオ通話システムを示すブロック図である。
【図２】本発明の一実施形態による電子装置を示すブロック図である。
【図３】本発明の一実施形態による電子装置の通信方法を示す流れ図である。
【図４】本発明の一実施形態による電子装置の通信方法を説明するための図である。
【図５】本発明の一実施形態による電子装置の通信方法を説明するための図である。
【図６】本発明の一実施形態による電子装置の通信方法を説明するための図である。
【図７】本発明の一実施形態による電子装置の通信方法を説明するための図である。
【図８】本発明の一実施形態による電子装置の通信方法を説明するための図である。
【図９】本発明の一実施形態による電子装置の通信方法を説明するための図である。
【図１０】本発明の一実施形態による電子装置の通信方法を説明するための図である。
【図１１】本発明の一実施形態による電子装置の通信方法を行うためのコンピューティングシステムを示す図である。
【発明を実施するための形態】
【００３１】
以下、本発明の一部の実施形態を例示的な図を介して詳細に説明する。各図の構成要素に参照符号を付加することにおいて、同一の構成要素に対しては、たとえ他の図上に表示されてもできる限り同一符号を有するようにしていることに留意しなければならない。また、本発明の実施形態の説明において、関連された公知の構成又は機能に対する具体的な説明が、本発明の実施形態に対する理解に邪魔になると判断される場合は、その詳細な説明は省略する。
【００３２】
本発明の実施形態の構成要素の説明において、第１、第２、Ａ、Ｂ、（ａ）、（ｂ）等の用語を用いてよい。このような用語は、その構成要素を他の構成要素と区別するためだけのものであり、その用語によって当該構成要素の本質や順番又は順序等が限定されない。また、別に定義されない限り、技術的又は科学的な用語を含め、ここで用いられる全ての用語は、本発明の属する技術分野で通常の知識を有した者によって一般に理解されるものと同一の意味を有する。一般に用いられる辞書に定義されているもののような用語は、関連技術の文脈上有する意味と一致する意味を有したものと解釈されなければならず、本出願において明白に定義しない限り、理想的又は過度に形式的な意味に解釈されない。
【００３３】
本明細書において「電子装置」は、セルラーフォン、無線通信機能を有するスマートフォン、無線通信機能を有する個人携帯用端末（ＰＤＡ）、無線モデム、有線／無線通信機能を有する携帯用コンピューター、有線／無線通信機能を有するデジタルカメラのような撮影装置、有線／無線通信機能を有するゲーミング装置、有線／無線通信機能を有する音楽保存及び再生用家電製品、有線／無線インターネット接続及びブラウジング（ｂｒｏｗｓｉｎｇ）が可能なインターネット家電製品だけでなく、かかる機能の組み合わせを統合している携帯型ユニット又は端末等を含んでよいが、これらに限定されるものではない。
【００３４】
図１は、本発明の一実施形態によるビデオ通話システムを示すブロック図である。
【００３５】
図１に示すとおり、本発明の一実施形態によるビデオ通話システム１０は、第１電子装置１００、第２電子装置２００、及びサーバー３００を含んでよい。第１電子装置１００、第２電子装置２００、及びサーバー３００は、有線又は無線通信ネットワークを介して連結されてよい。
【００３６】
第１電子装置１００及び第２電子装置２００は、ビデオ通話機能を備えてよい。例えば、前記ビデオ通話機能は、ビデオ通話アプリケーション形態で第１電子装置１００及び第２電子装置２００にそれぞれ備えられてよく、使用者は、第１電子装置１００又は第２電子装置２００を介して前記アプリケーションを実行することによりビデオ通話機能を利用することができる。
【００３７】
例えば、第１電子装置１００の使用者は、ビデオ通話アプリケーションを実行し、サーバー３００に第２電子装置２００の使用者とのビデオ通話を要請できる。前記要請を受信したサーバー３００は、第２電子装置２００の通信状態を確認し、第１電子装置１００と第２電子装置２００の間のビデオ通話のためのセッションを形成することで、第１電子装置１００と第２電子装置２００の使用者間のビデオ通話を可能にすることができる。
【００３８】
また、例えば、第１電子装置１００の使用者は、ビデオ通話アプリケーションを実行し、サーバー３００に任意の使用者とのビデオ通話を要請できる。前記要請を受信したサーバー３００は、第１電子装置１００の使用者の使用者情報（例えば、プロフィール情報、検索条件等）を用いて、第１電子装置１００の使用者とマッチングされる相手使用者を検索できる。
【００３９】
そして、サーバー３００は、検索された相手使用者の電子装置（例えば、第２電子装置２００）の通信状態を確認し、第１電子装置１００と第２電子装置２００の間のビデオ通話のためのセッションを形成することで、第１電子装置１００と第２電子装置２００の使用者間のビデオ通話を可能にすることができる。すなわち、第１電子装置１００の使用者は、ビデオ通話アプリケーションを実行し、任意の使用者とのランダムビデオ通話サービスを利用できる。
【００４０】
一方、第１電子装置１００は、ビデオ通話の開始のために使用者の動画（例えば、使用者を撮影した動画）を第２電子装置２００に送る前に、使用者の動画を適宜編集することで、第１電子装置１００の使用者のプライバシーを保護できる。
【００４１】
以下では、第１電子装置１００を中心に、本発明の一実施形態による電子装置及びその通信方法が、図２から図１０を参照しつつさらに具体的に説明される。
【００４２】
図２は、本発明の一実施形態による電子装置を示すブロック図である。
【００４３】
図２に示すとおり、本発明の一実施形態による電子装置１００は、カメラ１１０、処理部１２０、表示部１３０、入力部１４０、及び通信部１５０を含んでよい。
【００４４】
カメラ１１０は、使用者を撮影し使用者の動画を生成できる。例えば、カメラ１１０は、電子装置１００の前面部に配置され使用者を撮影できるが、これに限定されるものではなく、電子装置１００の後面部に配置されることも可能である。生成された使用者の動画は、表示部１３０によってディスプレーされてよく、通信部１５０を介して他の使用者の電子装置（例えば、第２電子装置２００、図１参照）に伝えられてよい。また、生成された使用者の動画は、処理部１２０に伝えられてよい。
【００４５】
処理部１２０は、電子装置１００のビデオ通話機能を全般的に制御できる。処理部１２０は、一つ以上のプロセッサを含んでよい。処理部１２０に含まれるプロセッサは、電子装置１００を動作させるために必要な算術演算及び／又は論理演算を行うことができる。
【００４６】
処理部１２０は、入力部１４０を介して入力される使用者の通話要請の入力に応答し、ビデオ通話の相手検索要請をサーバー（３００、図１参照）に伝え、サーバー３００から検索されたビデオ通話の相手のプロフィール情報を受信できる。例えば、サーバー３００は、電子装置１００の使用者のプロフィール情報を用いるか、又は、ランダムでビデオ通話の相手を検索し、検索された相手のプロフィール情報を処理部１２０に伝えることができる。ここで、前記相手のプロフィール情報は、相手使用者の名前、国籍、評判度、プロフィール画像、又は遮断履歴のうち少なくとも何れか一つを含んでよい。前記プロフィール情報は、これに限定されず、相手使用者と係わる多様な情報を含んでよい。
【００４７】
例えば、「評判度」は、前記相手使用者がビデオ通話アプリケーションを利用する過程で、他の使用者達から関心を受けた程度で定義されてよい。より具体的に、前記相手使用者がビデオ通話中に他の使用者達から受信した「いいね」及び「推薦」の数を合算し、前記評判度が算出されてよい。「遮断履歴」は、前記相手使用者がビデオ通話アプリケーションを利用する過程で、他の使用者達から遮断されるか、申告された履歴で定義されてよい。
【００４８】
処理部１２０は、使用者の動画を複数の領域に分割できる。例えば、処理部１２０は、受信されたビデオ通話の相手のプロフィール情報を用いて、使用者の動画を複数の領域に分割できる。例えば、前記複数の領域は、使用者の動画上の顔領域、ボディー領域（例えば、顔を除いた身体領域）、及び背景領域を含んでよく、これに限定されるものではなく、複数の領域はさらに細部の領域（例えば、腕領域、胸領域等）も含んでよい。
【００４９】
処理部１２０は、背景分割（ｂａｃｋｇｒｏｕｎｄ  ｓｅｇｍｅｎｔａｔｉｏｎ）技術を用いて、身体領域及び背景領域を分割できる。例えば、処理部１２０は、グラフカット（ｇｒａｐｈ  ｃｕｔ）アルゴリズム又はＭＳＲＭ（Ｍａｘｉｍｕｍ  Ｓｉｍｉｌａｒｉｔｙ−ｂａｓｅｄ  Ｒｅｇｉｏｎ  Ｍｅｒｇｉｎｇ）アルゴリズム等を用いて、身体領域及び背景領域を分割できる。
【００５０】
処理部１２０は、顔検出（ｆａｃｅ  ｄｅｔｅｃｔｉｏｎ）技術を用いて、身体領域のうち顔領域及びボディー領域を分割できる。例えば、処理部１２０は、神経網（Ｎｅｕｒａｌ  Ｎｅｔｗｏｒｋ）、アダブースト（Ａｄａｂｏｏｓｔ）又はサポートベクターマシン（Ｓｕｐｐｏｒｔ  Ｖｅｃｔｏｒ  Ｍａｃｈｉｎｅ）等の技術を用いて、身体領域のうち顔領域を検出し、検出された顔領域及びボディー領域を分割できる。
【００５１】
例えば、処理部１２０は、ビデオ通話の相手の評判度が高いほど、使用者の動画をさらに少ない数の複数の領域に分割できる。したがって、ビデオ通話の相手の評判度により動画編集の対象となる領域の数が調節されることで、使用者自ら動画露出の範囲を制御でき、これによって使用者のビデオ通話の満足度を向上させることができる。また、例えば、処理部１２０は、ビデオ通話の相手の遮断履歴が低いほど、使用者の動画をさらに少ない数の複数の領域に分割することもできる。そして、ビデオ通話の相手と電子装置１００の使用者の国籍が一致する場合、処理部１２０は、使用者の動画を使用者の基本設定情報による数よりさらに少ない数の複数の領域に分割することもできる。処理部１２０は、電子装置１００の使用者の基本設定情報を用いて、使用者の動画を複数の動画に分割できる。例えば、前記基本設定情報は、電子装置１００の使用者がビデオ通話アプリケーションサービスに加入する時に設定した情報を意味してよく、複数の領域のうち所定の領域に対する選択情報（例えば、顔領域、背景領域に分割されるように設定する）を含んでよい。
【００５２】
処理部１２０は、ビデオ通話の相手との親密度を用いて、使用者の動画を複数の動画に分割できる。例えば、処理部１２０は、使用者とビデオ通話の相手との親密度が基準親密度以上になる場合、使用者の動画を基準親密度未満の場合よりさらに少ない数の複数の領域に分割できる。ここで、親密度は、電子装置１００の使用者とビデオ通話の相手との通話時間や会話量によって決定されてよく、例えば、通話時間が長くなるか会話量が多くなる場合、親密度が高くなるものと定義されてよい。
【００５３】
処理部１２０は、使用者の動画の複数の領域のうち使用者から選択されていない領域を編集し、編集された使用者の動画を生成できる。例えば、処理部１２０は、複数の領域のうち使用者から選択されていない領域を代替画像で表示するか歪曲することで、編集された使用者の動画を生成できる。このため、処理部１２０は、使用者が複数の領域のうち少なくとも一つの領域を選択できるよう、選択画面を表示部１３０によってディスプレーしてよい。
【００５４】
すなわち、電子装置１００の使用者は、複数の領域のうち自分がビデオ通話の相手に露出を望む領域を選択でき、使用者が選択していない領域は、代替画像で表示されるか、歪曲されて表示されることで、使用者のプライバシーを保護できる。ここで、歪曲は、モザイク処理、ぼかし処理、色相調節、明度調節、彩度調節などの多様な方法を用いて、画像を元の画像と異なって見えるように処理することを意味してよい。
【００５５】
一方、処理部１２０は、使用者の動画の複数の領域のうち使用者から選択された領域を編集し、編集された使用者の動画を生成してもよい。この場合、使用者は、入力部１４０を介して複数の領域のうち露出を望まない領域を選択できる。
【００５６】
また、処理部１２０は、電子装置１００の使用者とビデオ通話の相手との親密度によって、前記使用者から選択されていない領域の歪曲の程度を調整できる。処理部１２０は、電子装置１００の使用者とビデオ通話の相手との親密度が高くなるほど、前記使用者から選択されていない領域の歪曲の程度を緩和させてよい。ここで、歪曲の程度は、モザイク処理の程度、ぼかし処理の程度、色相調節の程度、明度調節の程度、彩度調節の程度など、画像を元の画像と異なって見えるように処理する程度を意味してよく、例えば、歪曲の程度を緩和させることは、歪曲された画像を元の画像と類似するように、歪曲の程度を低めることを意味してよい。
【００５７】
一方、処理部１２０は、電子装置１００の使用者とビデオ通話の相手との通話時間が基準通話時間より短いか、会話量が基準会話量より少ない場合、前記ビデオ通話の相手との次回のビデオ通話時に、前記使用者から選択されていない領域の歪曲の程度を強化させるか、前記使用者が選択した領域の全部又は一部を代替画像で表示するか、歪曲して表示できる。例えば、歪曲の程度を強化させることは、歪曲された画像が元の画像と異なるように歪曲の程度を高めることを意味してよい。
【００５８】
表示部１３０は、使用者の動画、ビデオ通話の相手の動画、複数の領域のうち少なくとも何れか一つの領域を選択するための選択画面をディスプレーしてよい。例えば、前記選択画面は、使用者の動画にオーバーラップ（ｏｖｅｒｌａｐ）されてディスプレーされてよい。例えば、表示部１３０は、ＬＣＤ（ｌｉｑｕｉｄ−ｃｒｙｓｔａｌ  ｄｉｓｐｌａｙ）又はＡＭ−ＯＬＥＤ（ａｃｔｉｖｅ−ｍａｔｒｉｘ  ｏｒｇａｎｉｃ  ｌｉｇｈｔ−ｅｍｉｔｔｉｎｇ  ｄｉｏｄｅ）パネル等であってよいが、これらに制限されるものではない。一方、表示部１３０は、タッチパネルを含むタッチスクリーンとして設けられ、入力部１４０の機能を含んでもよい。
【００５９】
入力部１４０は、使用者からの入力を受信できる。例えば、入力部１４０は、使用者からの通話要請の入力、使用者の動画上の複数の領域のうち少なくとも何れか一つの領域を選択する選択の入力などの多様な入力を受信できる。例えば、入力部１４０は、マイク、キーボード、マウス、トラックボール、タッチスクリーン、ボタン、スイッチ、センサー、ネットワークインターフェース、又はその他の多様な入力装置を含んでよい。一方、前述したところのように、表示部１３０がタッチスクリーンとして設けられる場合には入力部１４０の機能を含んでよく、このような場合、通話要請の入力は、タッチアンドドラッグ又はスワイプ（ｓｗｉｐｅ）動作で定義されてよい。
【００６０】
通信部１５０は、ビデオ通話の相手の電子装置（例えば、第２電子装置２００、図１参照）及び／又はサーバー３００と通信できる。例えば、通信部１５０は、多様な有線及び／又は無線通信ネットワークを介し、ビデオ通話の相手の電子装置（例えば、第２電子装置２００、図１参照）及び／又はサーバー３００と通信できる。通信部１５０は、使用者の動画及び／又は編集された使用者の動画をビデオ通話の相手の電子装置に送ることができ、サーバー（図１参照）３００からビデオ通話の相手のプロフィール情報を受信できる。
【００６１】
例えば、通信部１５０は、３Ｇモジュール、ＬＴＥモジュール、ＬＴＥ−Ａモジュール、Ｗｉ−Ｆｉモジュール、ワイギグ（ＷｉＧｉｇ）モジュール、ＵＷＢ（Ｕｌｔｒａ  Ｗｉｄｅ  Ｂａｎｄ）モジュール、又はＬＡＮカード等のような遠距離用ネットワークインターフェースを含んでよい。また、通信部１５０は、磁気ストリップ保護送信（ＭＳＴ、Ｍａｇｎｅｔｉｃ  Ｓｅｃｕｒｅ  Ｔｒａｎｓｍｉｓｓｉｏｎ）モジュール、ブルートゥース（登録商標）モジュール、ＮＦＣモジュール、ＲＦＩＤモジュール、ジグビー（ＺｉｇＢｅｅ）モジュール、Ｚ−Ｗａｖｅモジュール、又は赤外線モジュール等のような近距離用ネットワークインターフェースを含んでよい。また、通信部１５０は、その他のネットワークインターフェースを含んでよい。
【００６２】
図３は、本発明の一実施形態による電子装置の通信方法を示す流れ図である。図４から図１０は、本発明の一実施形態による電子装置の通信方法を説明するための図である。
【００６３】
先ず、図３に示すとおり、本発明の一実施形態による電子装置の通信方法は、使用者の動画を複数の領域に分割するステップ（Ｓ１１０）、複数の領域に分割された使用者の動画をディスプレーするステップ（Ｓ１２０）、複数の領域のうち少なくとも一つの領域を選択する選択の入力を使用者から受信するステップ（Ｓ１３０）、複数の領域のうち使用者から選択されていない領域を編集し、編集された使用者の動画を生成するステップ（Ｓ１４０）、及び編集された使用者の動画をビデオ通話の相手の電子装置に送るステップ（Ｓ１５０）を含んでよい。
【００６４】
以下で、前述したＳ１１０ステップからＳ１５０ステップが、図２及び図４から図１０を参照しつつ具体的に説明される。図２を参照して説明した内容と重複される内容は、説明の繰り返しを避けるために適宜省略されてよい。
【００６５】
Ｓ１１０ステップにおいて、処理部１２０は、使用者の動画を複数の領域に分割できる。例えば、処理部１２０は、ビデオ通話の相手のプロフィール情報又は電子装置１００の使用者の基本設定情報を用いて、使用者の動画を複数の領域に分割できる。例えば、前記複数の領域は、使用者の動画上の顔領域、ボディー領域（例えば、顔を除いた身体領域）、及び背景領域を含んでよく、これらに限定されるものではなく、複数の領域は、さらに細部の領域（例えば、腕領域、胸領域等）も含んでよい。
【００６６】
図４に示すとおり、ビデオ通話アプリケーションの実行画面が示される。ビデオ通話アプリケーションには、多様な機能が備えられてよい。例えば、ビデオ通話アプリケーションの実行画面には、ビデオ通話の相手の性別を設定する機能に対応されるディスプレー領域１１、ビデオ通話の相手の地域を設定する機能に対応されるディスプレー領域１２、ビデオ通話アプリケーションで使用可能なキャッシュ関連機能に対応されるディスプレー領域１３、通話要請入力機能に対応されるディスプレー領域１４、関心事設定機能に対応されるディスプレー領域１５等が備えられてよい。前述の機能等は、表示部１３０を介して使用者から選択される場合、予め定められたアルゴリズムによって行われてよい。
【００６７】
図４及び図５に示すとおり、処理部１２０は、ビデオ通話の相手のプロフィール情報を用いて、使用者の動画を顔領域２１、ボディー領域２２、及び背景領域２３に分割できる（図４）。また、処理部１２０は、ビデオ通話の相手の評判度が高いほど、使用者の動画をさらに少ない数の複数の領域（顔及びボディー領域２４、背景領域２３）に分割できる（図５）。
【００６８】
また、図６に示すとおり、処理部１２０は、ビデオ通話の相手との親密度が基準親密度以上になる場合、使用者の動画を以前（顔領域２１、ボディー領域２２、及び背景領域２３）よりさらに少ない数の複数の領域（顔及びボディー領域２４、背景領域２３）に分割し、分割された複数の領域のうち、少なくとも何れか一つの領域を選択するための選択画面を表示部１３０によって表示できる。
【００６９】
Ｓ１２０ステップにおいて、表示部１３０は、複数の領域に分割された使用者の動画から少なくとも何れか一つの領域を選択するための選択画面をディスプレーしてよい。前記選択画面は、使用者の動画にオーバーラップされてディスプレーされてよい。
【００７０】
Ｓ１３０ステップにおいて、入力部１４０は、使用者の動画上の複数の領域のうち、少なくとも何れか一つの領域を選択する選択の入力を受信できる。例えば、使用者から選択された領域は、陰影表示されるか、マーキング表示されてよく、これらに限定されない多様な表示方法で表示されてよい。
【００７１】
Ｓ１４０ステップにおいて、処理部１２０は、使用者の動画の複数の領域のうち使用者から選択されていない領域を編集し、編集された使用者の動画を生成できる。
【００７２】
図７及び図８に示すとおり、例示的に複数の領域のうち使用者からボディー領域２２及び背景領域２３が選択され、顔領域２１が選択されていない場合が示される。
【００７３】
図７に示すとおり、処理部１２０は、顔領域２１を歪曲して編集された動画を生成できる。あるいは、図８に示すとおり、処理部１２０は、顔領域２１を代替画像で表示することで、編集された使用者の動画を生成できる。すなわち、電子装置１００の使用者は、複数の領域のうち、自分がビデオ通話の相手に露出を望む領域を選択でき、選択していない領域は、代替画像で表示されるか、歪曲され表示されることで、使用者のプライバシーを保護できる。
【００７４】
また、図９に示すとおり、処理部１２０は、電子装置１００の使用者とビデオ通話の相手との親密度によって、前記使用者から選択されていない顔領域２１の歪曲の程度を調整できる。ここで、親密度は、電子装置１００の使用者とビデオ通話の相手との通話時間や会話量によって決定されてよく、例えば、通話時間が長くなるか会話量が多くなる場合、親密度が高くなるものと定義されてよい。処理部１２０は、電子装置１００の使用者とビデオ通話の相手との親密度が高くなるほど、前記使用者から選択されていない顔領域２１の歪曲の程度を緩和させてよい。
【００７５】
Ｓ１５０ステップにおいて、通信部１５０は、編集された使用者の動画をビデオ通話の相手の電子装置（例えば、第２電子装置２００、図１参照）に送ることができる。
【００７６】
図１０に示すとおり、ビデオ通話の相手の電子装置２００にディスプレーされる画面が示される。ビデオ通話の相手の電子装置２００には、電子装置１００の使用者の編集された使用者の動画がディスプレーされてよく、ビデオ通話の相手の動画も所定の領域２０にディスプレーされてよい。また、電子装置１００の使用者の顔領域２１は、歪曲されディスプレーされてよい。したがって、電子装置１００の使用者のプライバシーを保護できる。
【００７７】
一方、ビデオ通話の相手の電子装置２００にはプロフィール情報１６が表示されてよく、ビデオ通話の相手は、ビデオ通話中に友だち追加機能１７を選択して電子装置１００の使用者を友だちに登録するか、評判度機能（Ｔｈｕｍｂｓ  ｕｐ  ｆｕｎｃｔｉｏｎ）１８を介して相手に評判度を表示するか、遮断機能１９を介して遮断できる。
【００７８】
図１１は、本発明の一実施形態による電子装置のビデオ通話の遂行方法を行うためのコンピューティングシステムを示す図である。
【００７９】
図１１に示すとおり、前述した本発明の一実施形態による電子装置のビデオ通話の遂行方法は、コンピューティングシステムを介しても具現されてよい。コンピューティングシステム１０００は、システムバス１２００を介して連結される少なくとも一つのプロセッサ１１００、メモリー１３００、使用者インターフェース入力装置１４００、使用者インターフェース出力装置１５００、ストレージ１６００、及びネットワークインターフェース１７００を含んでよい。
【００８０】
プロセッサ１１００は、中央処理装置（ＣＰＵ）又はメモリー１３００及び／又はストレージ１６００に格納された命令語等に対する処理を行う半導体装置であってよい。メモリー１３００及びストレージ１６００は、多様な種類の揮発性又は不揮発性の記憶媒体を含んでよい。例えば、メモリー１３００は、ＲＯＭ（Ｒｅａｄ  Ｏｎｌｙ  Ｍｅｍｏｒｙ）１３１０及びＲＡＭ（Ｒａｎｄｏｍ  Ａｃｃｅｓｓ  Ｍｅｍｏｒｙ）１３２０を含んでよい。
【００８１】
したがって、本明細書に開示された実施形態等と係わって説明された方法又はアルゴリズムのステップは、プロセッサ１１００によって行われるハードウェア、ソフトウェアモジュール、又はその二つの組み合わせによって直接具現されてよい。ソフトウェアモジュールは、ＲＡＭメモリー、フラッシュメモリー、ＲＯＭメモリー、ＥＰＲＯＭメモリー、ＥＥＰＲＯＭメモリー、レジスター、ハードディスク、脱着型ディスク、ＣＤ−ＲＯＭのような記憶媒体（すなわち、メモリー１３００及び／又はストレージ１６００）に常駐してもよい。例示的な記憶媒体は、プロセッサ１１００にカップリングされ、そのプロセッサ１１００は、記憶媒体から情報を読み取ることができ、記憶媒体に情報を書き込むことができる。他の方法として、記憶媒体は、プロセッサ１１００と一体型であってもよい。プロセッサ及び記憶媒体は、ＡＳＩＣ内に常駐してもよい。ＡＳＩＣは、使用者の端末内に常駐してもよい。他の方法として、プロセッサ及び記憶媒体は、使用者の端末内に個別コンポーネントとして常駐してもよい。
【００８２】
以上で説明された実施形態は、コンピューターによって行われるプログラムモジュールなどの、コンピューターによって実行可能な命令語を含む記録媒体の形態にも具現されてよい。コンピューターで読み取り可能な媒体は、コンピューターによってアクセス可能な任意の可用媒体であってよく、揮発性及び不揮発性媒体、分離型及び非分離型媒体を全て含んでよい。
【００８３】
また、コンピューターで読み取り可能な媒体は、コンピューター記憶媒体又は通信媒体を含んでよい。コンピューター記憶媒体は、コンピューターで読み取り可能な命令語、データ構造、プログラムモジュール又はその他のデータなどの情報の格納のための任意の方法又は技術で具現された揮発性及び不揮発性、分離型及び非分離型媒体を全て含んでよい。通信媒体は、典型的にコンピューターで読み取り可能な命令語、データ構造、プログラムモジュール、又は搬送波などの変調されたデータ信号のその他のデータ、又はその他の転送メカニズムを含み、任意の情報伝達媒体を含んでよい。
【００８４】
以上で、図面を参照しながら本発明の実施形態等を説明したが、本発明の属する技術分野において通常の知識を有する者は、本発明が、その技術的思想や必須の特徴を変更しなくとも、他の具体的な形態に実施され得るということを理解できるはずである。そのため、以上で記述した実施形態等は、全ての面において例示的なものであり、限定的なものではないと理解しなければならない。
【符号の説明】
【００８５】
１０：ビデオ通話システム
１００：第１電子装置
１１０：カメラ
１２０：処理部
１３０：表示部
１４０：入力部
１５０：通信部
２００：第２電子装置
３００：サーバー
１０００：コンピューティングシステム
１１００：プロセッサ
１２００：システムバス
１３００：メモリー
１３１０：ＲＯＭ
１３２０：ＲＡＭ
１４００：使用者インターフェース入力装置
１５００：使用者インターフェース出力装置
１６００：ストレージ
１７００：ネットワークインターフェース
【図１】
2019088004.tif 000003
【図２】
2019088004.tif 000004
【図３】
2019088004.tif 000005
【図４】
2019088004.tif 000006
【図５】
2019088004.tif 000007
【図６】
2019088004.tif 000008
【図７】
2019088004.tif 000009
【図８】
2019088004.tif 000010
【図９】
2019088004.tif 000011
【図１０】
2019088004.tif 000012
【図１１】
2019088004.tif 000013